(57)【要約】      （修正有）【課題】かぶれ及び炎症の軽減・防止及び消炎・鎮痛・熱取りの薬理効果をもたせることで、スポーツをする人のけがの予防や運動機能の補助、故障箇所のある方や高齢者の日常生活の運動機能補助等のためにテーピングテープまたは運動力学身体機能回復テープを提供する。【解決手段】粘着面に抗ヒスタミン剤を最初から混ぜて塗布することにより、かぶれ防止の機能をもたせる。抗ヒスタミン剤に加えてサリチル酸メチルやｌメントール、ｄｌカンフルといった鎮痛・消炎作用をもった様々な薬効成分をテープの粘着剤に混ぜて塗布することにより、テープ１の伸縮性を利用した物理的に筋肉および筋・骨格等の補助回復機能に加え、種々の薬効成分の薬理効果により様々な故障箇所の回復に二重の効果をもたせる。【選択図】図１
0003190841.tif 000002
【実用新案登録請求の範囲】
【請求項１】
従来のテーピングテープ及び運動力学身体機能回復テープ（キネシオテープ）の粘着面に抗ヒスタミン剤を添加し、かぶれの防止機能を持たせたもの。
【請求項２】
従来のテーピングテープ及び運動力学身体機能回復テープ（キネシオテープ）の粘着面に鎮痛・消炎・熱取り効果のあるサリチル酸メチル、ｌメントール、ｄｌカンフル、さらに、かぶれ防止効果のある抗ヒスタミン剤を添加することにより、本来の物理作用治療効果に加え、薬理治療効果という二重の治療効果をもたせたもの。
【考案の詳細な説明】
【技術分野】
【０００１】本考案は、かぶれ及び炎症の軽減・防止及び消炎・鎮痛・熱取りの薬理効果をもったテーピングテープ並びに運動力学身体機能回復テープ（通称キネシオテープ）に関するものである
【背景技術】
【０００２】従来のテーピングテープ及び運動力学身体機能回復テープ（以下キネシオテープという）は、紙や布、或いはニット状の伸縮性をもたせ、それぞれの治療用と部位に合わせた幅を一巻きにした粘着テープを打撲、筋肉痛、関節故障、骨折、捻挫、突き指等の故障箇所に運動機能回復治療を目的として、テープを適当な長さに切って貼布し、筋肉、骨格等の運動機能補助及び保護・固定等の物理作用のみを目的に使用されている。
一方、市販の鎮痛・消炎貼布薬は、布、或いは種々の素材にサルチル酸メチルやｌメントール、ｄｌカンフルといった様々な薬効成分を粘着剤に塗り込んで塗布し、その薬効成分により鎮痛消炎作用をもたせたものである。伸縮性をもたせた素材を使用したものもあるが、それはあくまで膝・肘等、主に関節部分の伸縮対応して貼布するためのものであり、キオシネテープのような人工筋肉的な物理治療法的作用はない。
【考案が解決しようとする課題】
【０００３】キオシネテープには、薬理効果はなく、よくかぶれるという欠点があった。特に、かぶれ及び炎症の問題は、健康の増進・維持、生活習慣病の予防等の目的でスポーツをしている青少年や壮年、高齢者のけがの予防や運動機能の補助、故障箇所のある方や高齢者の日常生活の運動機能補助等のためにキオシネテープを広く普及させることを阻害している要因の大きな課題であった。
【０００４】また、筋肉痛等を治療するという目的において、市販の鎮痛・消炎貼布薬は、キオシネテープのような人工筋肉的な物理治療法的作用はなく、患部に貼るだけというもので、痛みを和らげるために筋肉の機能を補助し、回復を促進するものが、これまでなかった。
【課題を解決するための手段】
【０００５】そこで、従来のキネシオテープ本来の物理療法のみで使用する場合にも、粘着剤に抗ヒスタミン剤を最初から混ぜて塗布することにより、かぶれ及び炎症の防止の機能をもたせる。
【０００６】さらに、抗ヒスタミン剤に加えてサリチル酸メチルやｌメントール、ｄｌカンフルといった鎮痛・消炎作用をもった様々な薬効成分をテープの粘着剤に混ぜて塗布することにより、キネシオテープの伸縮性を利用した物理的に筋肉および筋・骨格等の補助回復機能に加え、種々の薬効成分の薬理効果により様々な故障箇所の回復に二重の効果をもたせたものである。
【考案の効果】
【０００７】特にキネシオテープは主として様々なスポーツにおける故障にスポーツレスキュー療法として世界中で使用され愛用されているが、従来の問題点であった「かぶれ及び炎症」を少しでも軽減、或いは防止するとともに、物理および薬理療法の二面性をもたせることにより、その普及に大きく貢献できるものである。また、従来の各製薬会社の技術により貼布の粘着剤に薬効成分を練り込み素材に塗布する技術は古くより完成されており、すぐ製造できるものである。
【図面の簡単な説明】
【図１】テーピングテープ或いは運動力学身体機能回復テープの製品の斜視図である。
【図２】テーピングテープ或いは運動力学身体機能回復テープの断面図である。
【符号の説明】１．テープ
２．台紙
３．テープ本体
４．テープの断面
５．テープの薬効成分粘着面断面
【図１】
0003190841.tif 000003
【図２】
0003190841.tif 000004
【手続補正書】
【提出日】平成26年3月7日(2014.3.7)
【手続補正１】
【補正対象書類名】実用新案登録請求の範囲
【補正対象項目名】全文
【補正方法】変更
【補正の内容】
【実用新案登録請求の範囲】
【請求項１】
粘着面にサルチル酸メチル、抗ヒスタミン剤を添加し、かぶれの防止機能を持たせたテーピングテープまたは運動力学身体機能回復テープ。
【請求項２】
粘着面に鎮痛・消炎・熱取り効果のあるサリチル酸メチル、ｌメントール、ｄｌカンフル、さらに、かぶれ防止効果のある抗ヒスタミン剤を添加することにより、本来の物理作用治療効果に加え、薬理治療効果という二重の治療効果をもたせたテーピングテープまたは運動力学身体機能回復テープ。
【手続補正２】
【補正対象書類名】明細書
【補正対象項目名】全文
【補正方法】変更
【補正の内容】
【考案の詳細な説明】
【技術分野】
【０００１】本考案は、かぶれ及び炎症の軽減・防止及び消炎・鎮痛・熱取りの薬理効果をもったテーピングテープまたは運動力学身体機能回復テープに関するものである
【背景技術】
【０００２】テーピングテープまたは運動力学身体機能回復テープは、紙や布、或いはニット状の伸縮性をもたせ、それぞれの治療用と部位に合わせた幅を一巻きにした粘着テープを打撲、筋肉痛、関節故障、骨折、捻挫、突き指等の故障箇所に運動機能回復治療を目的として、テープを適当な長さに切って貼布し、筋肉、骨格等の運動機能補助及び保護・固定等の物理作用のみを目的に使用されている。
一方、市販の鎮痛・消炎貼布薬は、布、或いは種々の素材にサルチル酸メチルやｌメントール、ｄｌカンフルといった様々な薬効成分を粘着剤に塗り込んで塗布し、その薬効成分により鎮痛消炎作用をもたせたものである。伸縮性をもたせた素材を使用したものもあるが、それはあくまで膝・肘等、主に関節部分の伸縮対応して貼布するためのものであり、人工筋肉的な物理治療法的作用はない。
【考案が解決しようとする課題】
【０００３】テーピングテープまたは運動力学身体機能回復テープには、薬理効果はなく、よくかぶれるという欠点があった。特に、かぶれ及び炎症の問題は、健康の増進・維持、生活習慣病の予防等の目的でスポーツをしている青少年や壮年、高齢者のけがの予防や運動機能の補助、故障箇所のある方や高齢者の日常生活の運動機能補助等のためにテーピングテープまたは運動力学身体機能回復テープを広く普及させることを阻害している要因の大きな課題であった。
【０００４】また、筋肉痛等を治療するという目的において、市販の鎮痛・消炎貼布薬は、テーピングテープまたは運動力学身体機能回復テープのような人工筋肉的な物理治療法的作用はなく、患部に貼るだけというもので、痛みを和らげるために筋肉の機能を補助し、回復を促進するものが、これまでなかった。
【課題を解決するための手段】
【０００５】そこで、テーピングテープまたは運動力学身体機能回復テープ本来の物理療法のみで使用する場合にも、粘着剤に抗ヒスタミン剤を最初から混ぜて塗布することにより、かぶれ及び炎症の防止の機能をもたせる。
【０００６】さらに、抗ヒスタミン剤に加えてサリチル酸メチルやｌメントール、ｄｌカンフルといった鎮痛・消炎作用をもった様々な薬効成分をテープの粘着剤に混ぜて塗布することにより、テーピングテープまたは運動力学身体機能回復テープの伸縮性を利用した物理的に筋肉および筋・骨格等の補助回復機能に加え、種々の薬効成分の薬理効果により様々な故障箇所の回復に二重の効果をもたせたものである。
【考案の効果】
【０００７】特にテーピングテープまたは運動力学身体機能回復テープは様々なスポーツにおける故障にスポーツレスキュー療法として世界中で使用され愛用されているが、従来の問題点であった「かぶれ及び炎症」を少しでも軽減、或いは防止するとともに、物理および薬理療法の二面性をもたせることにより、その普及に大きく貢献できるものである。また、従来の各製薬会社の技術により貼布の粘着剤に薬効成分を練り込み素材に塗布する技術は古くより完成されており、すぐ製造できるものである。
【図面の簡単な説明】
【０００８】
【図１】テーピングテープまたは運動力学身体機能回復テープの製品の斜視図である。
【図２】テーピングテープまたは運動力学身体機能回復テープの断面図である。
【符号の説明】
【０００９】１．テープ
２．台紙
３．テープ本体
４．テープの断面
５．テープの薬効成分粘着面断面